(57)【要約】  【課題】  多芯になっても大きくならず、実装面積を狭くすることができ、強度が向上して相手側コネクタの挿抜時の作業性が良くなる多極コネクタを提供する。  【解決手段】  所定のピッチで配置された多数の一方の端子装着部１１に一方の接触端子１９を装着し、他方の端子装着部１１−１に、一方の接触端子１９の伝送路と等長の伝送路を有する他方の接触端子１９−１を装着し、且つ一方及び他方の接触端子１９、１９−１のそれぞれのリード部２２、２２−１をコネクタ短手方向で且つ同方向に突出させ、一方及び他方の接触端子１９、１９−１の一組が対で信号端子２０を構成し、一方及び他方の接触端子１９、１９−１の他の一組が対でグランド端子２０−１を構成していて、信号端子２０とグランド端子２０−１とがコネクタ長手方向に交互に配置してある。【選択図】  図５
2006066291.tif 000002
【特許請求の範囲】
【請求項１】
コネクタとこのコネクタに結合する相手側コネクタとを備え、前記コネクタは、その絶縁ケースに設けたコネクタ嵌合部に複数の接触端子を有しており、前記相手側コネクタは、その相手絶縁ケースに設けた相手コネクタ嵌合部に複数の相手接触端子を有しており、前記コネクタ嵌合部に前記相手コネクタ嵌合部を嵌合して前記コネクタに前記相手コネクタが結合した際に、前記接触端子と前記相手接触端子のそれぞれを互いに接触導通させるようにした多極コネクタであって、
前記コネクタ嵌合部は、前記絶縁ケースの表側に、嵌合凸部を挟んだ二列の嵌合用空間部をコネクタ長手方向に形成して構成してあり、
前記嵌合凸部には、前記嵌合用空間部の一方に開口する一方の端子装着部と、前記嵌合用空間部の他方に開口する他方の端子装着部とがコネクタ長手方向に沿って交互に所定のピッチ間隔で形成してあり、
前記一方の端子装着部に一方の接触端子を装着して、当該接触端子の接触部を前記嵌合用空間部の一方に露出させると共に、前記他方の端子装着部に、前記一方の接触端子の伝送路と等長の伝送路を有する他方の接触端子を装着して、当該接触端子の接触部を前記嵌合用空間部の他方に露出させ、且つ前記一方及び他方の接触端子のそれぞれのリード部をコネクタ短手方向で且つ同方向に延出させてコネクタ長手方向に所定のピッチで並べてあることを特徴とする多極コネクタ。
【請求項２】
前記一方及び他方の接触端子の一組が対で前記信号端子を構成し、前記一方及び他方の接触端子の他の一組が対で前記グランド端子を構成していて、前記信号端子と前記グランド端子とがコネクタ長手方向に交互に配置してあることを特徴とする請求項１に記載の多極コネクタ。
【請求項３】
前記一方及び他方の接触端子は、圧入取付部と、この圧入取付部の端側のリード部と、前記圧入取付部の前記リード部とは反対側に屈曲形成された接触部とを有していて、この接触部の屈曲点が接点にしてあり、
前記一方の接触端子では、前記リード部が前記圧入取付部に対して略直角に前記接点側に屈曲してあり、前記他方の接触端子では、前記リード部は前記圧入取付部に対して略直角に前記接点とは反対側に屈曲してあって、
前記一方の接触端子の伝送路と前記他方の接触端子の伝送路とが等長であることを特徴とする請求項２に記載の多極コネクタ。
【請求項４】
前記相手コネクタ嵌合部は、前記絶縁ケースの表側に嵌合凹部と、この嵌合凹部を挟むコネクタ短手方向の一方及び他方の立壁部を有しており、
前記一方の立壁部には、前記嵌合凹部に開口する複数の一方の相手端子装着部がコネクタ長手方向に沿って所定のピッチ間隔で形成してあり、前記他方の立壁部には、前記嵌合凹部に開口する複数の他方の相手端子装着部がコネクタ長手方向に沿って所定のピッチ間隔で形成してあり、
前記一方の相手端子装着部に一方の相手接触端子を装着して、当該相手接触端子の接触部を前記嵌合凹部に臨ませると共に、前記他方の相手端子装着部に、前記一方の相手接触端子の伝送路と等長の伝送路を有する他方の相手接触端子を装着して、当該相手接触端子の接触部を前記嵌合凹部に臨ませるようにしたことを特徴とする請求項２又は請求項３に記載の多極コネクタ。
【請求項５】
前記一方及び他方の相手接触端子の一組が対で相手信号端子を構成しているし、前記一方及び他方の相手接触端子の他の一組が対で相手グランド端子を構成していて、前記相手信号端子と前記相手グランド端子とがコネクタ長手方向に交互に配置してあることを特徴とする請求項４に記載の多極コネクタ。
【請求項６】
前記一方及び他方の相手接触端子は圧着端子であって、ケーブルの端末部を圧着接続する圧着部と、取付部と、前記一方及び他方の接触端子の前記接点に接触するコンタクト部とを備えており、
前記一方及び他方の相手端子装着部は、前記一方及び他方の立壁部に形成されたコネクタ挿抜方向に沿う端子挿入部とコンタクト挿入部で構成してあって、前記コンタクト部を前記コンタクト挿入部に挿入すると共に、前記取付部を前記端子挿入部に取付けて、前記一方及び他方の相手接触端子が前記一方及び他方の相手端子装着部に装着してあることを特徴とする請求項５に記載の多極コネクタ。
【請求項７】
前記コンタクト挿入部の先端側は閉塞されていて、当該閉塞部に一対の突起挿入孔部が形成してあると共に、前記コンタクト挿入部にガイド部が突設してあり、
前記コンタクト部は、その断面がコ字形状にしてあって、その内部がガイド溝部にしてあると共に、前記コンタクト部の先端部に一対の突起部が設けてあり、
前記一方及び他方の相手接触端子の前記一方及び他方の相手端子装着部への装着時に、前記ガイド溝部に前記ガイド部を挿入し、前記突起部を前記突起挿入孔部に挿入するようにしたことを特徴とする請求項６に記載の多極コネクタ。
【請求項８】
前記取付部及び前記コンタクト部とは、金属板材を折曲げ加工して形成されていて、前記取付部は四角枠形状の閉鎖断面を有することを特徴とする請求項７に記載の多極コネクタ。
【請求項９】
前記コネクタは、前記コネクタ嵌合部にシールドプレートを装着しており、前記相手側コネクタは、前記相手コネクタ嵌合部がシールドシェルに覆われていて、
このシールドシェルにグランド端子接触部を形成して、このグランド端子接触部を前記一方及び他方の相手端子装着部内に挿入して、前記相手グランド端子に接触させるようにした特徴とする請求項６乃至請求項８のいずれかの一に記載の多極コネクタ。
【請求項１０】
コネクタとこのコネクタに結合する相手側コネクタとを備え、前記コネクタは、その絶縁ケースに設けたコネクタ嵌合部に複数の接触端子を有しており、前記相手側コネクタは、その相手絶縁ケースに設けた相手コネクタ嵌合部に複数の相手接触端子を有しており、前記コネクタ嵌合部に前記相手コネクタ嵌合部を嵌合して前記コネクタに前記相手コネクタが結合した際に、前記接触端子と前記相手接触端子のそれぞれを互いに接触導通させるようにした多極コネクタであって、
前記コネクタ嵌合部は、前記絶縁ケースの表側に、嵌合凸部を挟んだ二列の嵌合用空間部をコネクタ長手方向に形成して構成してあり、
前記嵌合凸部に、前記一方の接触端子をインサート成形により前記嵌合用空間部の一方に露出させると共に、前記一方の接触端子の伝送路と等長の伝送路を有する前記他方の接触端子をインサート成形により前記嵌合用空間部の他方に露出させて、前記一方の接触端子と前記他方の接触端子をコネクタ長手方向に沿って交互に所定のピッチ間隔で配置し、且つ前記一方及び他方の接触端子のそれぞれのリード部をコネクタ短手方向で且つ同方向に延出させてコネクタ長手方向に所定のピッチで並べてあることを特徴とする多極コネクタ。
【発明の詳細な説明】
【技術分野】
【０００１】
本発明は、機器本体からの電気信号をＬＣＤパネル等の電子機器へ伝達するために使用する多極コネクタに属し、レセプタクルコネクタと相手側コネクタを構成するケーブルコネクタを有する多極コネクタに関する。
【背景技術】
【０００２】
従来から、機器本体からの電気信号をＬＣＤパネル等へ伝達する多極コネクタが広く使われている。この多極コネクタは、ＬＣＤパネル等の背面に実装されたレセプタクルコネクタと、機器本体からの配線と接続された相手側コネクタであるケーブルコネクタとから構成してあって、このレセプタクルコネクタにケーブルコネクタを結合することで、機器本体からの電気信号をＬＣＤパネルへ伝達するようにしている。
【０００３】
先行技術における多極コネクタのレセプタクルコネクタは、導電性のコンタクトと、導電性のグランドプレートと、複数のコンタクト及びグランドプレートを保持するインシュレータと、導電性のシェルとを有している。そして、コンタクトは、金属板をプレス加工した後に曲げ加工を施すことによって作られており、圧入部と、圧入部から一方へ延びているバネ部と、バネ部の自由端部で湾曲するように曲げ形成されている接触部と、圧入部から他方へ延びている半田付け用のリード部とを有していて、各コンタクトの伝送路が等長にしてある。
【０００４】
また、グランドプレートは、コネクタの長手方向に長い寸法で板状の連結部から一方へ延びているグランド圧入部と、グランド圧入部から一方へ延びているグランドバネ部と、グランドバネ部の自由端部でコンタクト側へ向かって湾曲するように曲げ形成されているグランド接触部とを有している。
【０００５】
そして、複数のコンタクトは、インシュレータのコンタクト孔に圧入されて、コネクタ長手方向に互いに所定間隔（結合相手がケーブルコネクタであるために、平均で１ｍｍピッチ）で並んだ状態でもって配置固定され、リード部がインシュレータの片側に配置される。また、グランドプレートはインシュレータの後側から組み込まれ、グランドプレートのグランド圧入部がインシュレータのグランドプレート孔に圧入され固定される（特許文献１参照）。
【特許文献１】特許第３５１６１６３号公報
【発明の開示】
【発明が解決しようとする課題】
【０００６】
しかしながら、上記したレセプタクルコネクタにおける複数のコンタクトは、インシュレータのコンタクト孔に圧入されて、コネクタ長手方向に互いに所定間隔（平均で１ｍｍピッチ）で並んだ状態でもって配置固定され、リード部がインシュレータの片側に配置される構成であるために、レセプタクルコネクタが多芯になると、レセプタクルコネクタがコネクタ長手方向（コンタクトのピッチ方向）に大きくなって、このレセプタクルコネクタをＬＣＤパネル等の背面に実装する実装面積が広く必要になっていたし、また、レセプタクルコネクタが、コネクタ長手方向の長さの割に厚さが薄いために、強度が小さく、ケーブルコネクタの挿抜時の作業性が悪くなっていたし、更に、弱強度からＢｔｏＢ接続や、垂直実装が難しいために、水平実装で、且つ結合相手がケーブルコネクタに限定されるという問題点があった。
【０００７】
また、昨今の信号高速化により差動信号伝送が提唱されている。差動信号伝送は、二本の信号配線に互いに逆相の信号を送り、その差分を取ることによって、外来ノイズに対する耐性を強くするものである。
【０００８】
この差動信号伝送の欠点としては、コモン・モード成分が重畳したときに、電磁放射ノイズが増大することである。このコモン・モード成分の発生原因の一つとして、ペア線路の終端不整合がある。例えば、ペア線路長の不揃いがある。
【０００９】
本発明は、かかる従来の問題を改善するためになされたもので、その目的とするところは、コネクタが多芯になっても大きくならず、実装面積を狭くすることができるし、強度が向上して相手側コネクタの挿抜時の作業性が良くなるし、更に、相手側コネクタに基板実装タイプが可能になる他、垂直実装可能なことから接続方法も多様化できる多極コネクタを提供することである。
【課題を解決するための手段】
【００１０】
上記の目的を達成するために、本発明に係る多極コネクタは、コネクタとこのコネクタに結合する相手側コネクタとを備え、コネクタは、その絶縁ケースに設けたコネクタ嵌合部に複数の接触端子を有しており、相手側コネクタは、その相手絶縁ケースに設けた相手コネクタ嵌合部に複数の相手接触端子を有しており、コネクタ嵌合部に相手コネクタ嵌合部を嵌合してコネクタに相手コネクタが結合した際に、接触端子と相手接触端子のそれぞれを互いに接触導通させるようにした多極コネクタであって、コネクタ嵌合部は、絶縁ケースの表側に、嵌合凸部を挟んだ二列の嵌合用空間部をコネクタ長手方向に形成して構成してあり、嵌合凸部には、嵌合用空間部の一方に開口する一方の端子装着部と、嵌合用空間部の他方に開口する他方の端子装着部とがコネクタ長手方向に沿って交互に所定のピッチ間隔で形成してあり、一方の端子装着部に一方の接触端子を装着して、当該接触端子の接触部を嵌合用空間部の一方に露出させると共に、他方の端子装着部に、一方の接触端子の伝送路と等長の伝送路を有する他方の接触端子を装着して、当該接触端子の接触部を嵌合用空間部の他方に露出させ、且つ一方及び他方の接触端子のそれぞれのリード部をコネクタ短手方向で且つ同方向に延出させてコネクタ長手方向に所定のピッチで並べてあることを特徴とする。
【００１１】
かかる構成により、接触端子（例えば、信号端子とグランド端子）の接触部のピッチは、そのままでも、リード部（実装部）のピッチを接触部のピッチの半分にできるために、コネクタが多芯になっても、コネクタがコネクタ長手方向（コンタクトのピッチ方向）に大きくならず、実装面積を狭くすることができる。また、接触端子の接触部のピッチが大きくとれるために、圧着タイプのケーブルコネクタを相手側コネクタに使用することができる。
【００１２】
また、コネクタが、幅方向（コネクタ短手方向）の厚みが増すことで（幅×ピッチ方向でトータル的に小型化）強度が上がり、相手側コネクタの挿抜時の作業性が良くなるし、更に、相手側コネクタに基板実装タイプが可能になる他、垂直実装可能なことから接続方法も多様化できる。
【００１３】
また、本発明に係る多極コネクタは、上記した本発明に係る多極コネクタにおいて、一方及び他方の接触端子の一組が対で信号端子を構成し、一方及び他方の接触端子の他の一組が対でグランド端子を構成していて、信号端子とグランド端子とがコネクタ長手方向に交互に配置してあることを特徴とする。
【００１４】
かかる構成により、信号端子とグランド端子の接触部のピッチは、そのままでも、リード部（実装部）のピッチを接触部のピッチの半分にできるために、コネクタが多芯になっても、コネクタがコネクタ長手方向（コンタクトのピッチ方向）に大きくならず、実装面積を狭くすることができる。また、信号端子とグランド端子の接触部のピッチが大きくとれるために、圧着タイプのケーブルコネクタを相手側コネクタに使用することができる。
【００１５】
また、本発明に係る多極コネクタは、上記した本発明に係る多極コネクタにおいて、一方及び他方の接触端子は、圧入取付部と、この圧入取付部の端側のリード部と、圧入取付部の前記リード部とは反対側に屈曲形成された接触部とを有していて、この接触部の屈曲点が接点にしてあり、一方の接触端子では、リード部が圧入取付部に対して略直角に接点側に屈曲してあり、他方の接触端子では、リード部は圧入取付部に対して略直角に接点とは反対側に屈曲してあって、一方の接触端子の伝送路と他方の接触端子の伝送路とが等長であることを特徴とする。
【００１６】
信号高速化による差動信号伝送は、二本の信号配線に互いに逆相の信号を送り、その差分を取ることによって、外来ノイズに対する耐性を強くするものであり、この差動信号伝送の欠点としては、コモン・モード成分が重畳したときに、電磁放射ノイズが増大することである。このコモン・モード成分の発生原因の一つとして、ペア線路の終端不整合、例えば、ペア線路長の不揃いがあるが、一方及び他方の接触端子を上記した構成にすることで、一方の接触端子の伝送路と他方の接触端子の伝送路とを等長にしてペア線路長の不揃いを無くすことができる。
【００１７】
また、本発明に係る多極コネクタは、上記した本発明に係る多極コネクタにおいて、相手コネクタ嵌合部は、絶縁ケースの表側に嵌合凹部と、この嵌合凹部を挟むコネクタ短手方向の一方及び他方の立壁部を有しており、一方の立壁部には、嵌合凹部に開口する複数の一方の相手端子装着部がコネクタ長手方向に沿って所定のピッチ間隔で形成してあり、他方の立壁部には、嵌合凹部に開口する複数の他方の相手端子装着部がコネクタ長手方向に沿って所定のピッチ間隔で形成してあり、一方の相手端子装着部に一方の相手接触端子を装着して、当該相手接触端子の接触部を嵌合凹部に臨ませると共に、他方の相手端子装着部に、一方の相手接触端子の伝送路と等長の伝送路を有する他方の相手接触端子を装着して、当該相手接触端子の接触部を嵌合凹部に臨ませていることを特徴とする。
【００１８】
かかる構成により、接触端子（信号端子とグランド端子）のコネクタ嵌合部に位置する接触部のピッチが大きく取れるコネクタに対する相手側コネクタとして、圧着タイプのケーブルコネクタを構成することができる。
【００１９】
また、本発明に係る多極コネクタは、上記した本発明に係る多極コネクタにおいて、一方及び他方の相手接触端子の一組が対で相手端子を構成しており、一方及び他方の相手接触端子の他の一組が対で相手グランド端子を構成していて、相手信号端子と相手グランド端子とがコネクタ長手方向に交互に配置してあることを特徴とする。
【００２０】
かかる構成により、信号端子とグランド端子のコネクタ嵌合部に位置する接触部のピッチが大きく取れるコネクタに対する相手側コネクタとして、圧着タイプのケーブルコネクタを構成することができる。
【００２１】
また、本発明に係る多極コネクタは、上記した本発明に係る多極コネクタにおいて、一方及び他方の相手接触端子は圧着端子であって、ケーブルの端末部を圧着接続する圧着部と、取付部と、一方及び他方の接触端子の接点に接触するコンタクト部とを備えており、
一方及び他方の相手端子装着部は、一方及び他方の立壁部に形成されたコネクタ挿抜方向に沿う端子挿入部とコンタクト挿入部で構成してあって、コンタクト部をコンタクト挿入部に挿入すると共に、取付部を端子挿入部に取付けて、一方及び他方の相手接触端子が一方及び他方の相手端子装着部に装着してあることを特徴とする。
【００２２】
かかる構成により、一方及び他方の相手接触端子はケーブルの端末部を圧着接続する圧着端子であって、これらの圧着端子の一方及び他方の相手端子装着部への装着を容易に行うことができる。
【００２３】
また、本発明に係る多極コネクタは、上記した本発明に係る多極コネクタにおいて、コンタクト挿入部の先端側は閉塞されていて、当該閉塞部に一対の突起挿入孔部が形成してあると共に、コンタクト挿入部にガイド部が突設してあり、コンタクト部は、その断面がコ字形状にしてあって、その内部がガイド溝部にしてあると共に、コンタクト部の先端部に一対の突起部が設けてあり、一方及び他方の相手接触端子の一方及び他方の相手端子装着部への装着時に、ガイド溝部にガイド部を挿入し、突起部を突起挿入孔部に挿入するようにしたことを特徴とする。
【００２４】
かかる構成により、コンタクト部は、その断面がコ字形状にしてあるために、強度の向上が図れ、コンタクト部のコンタクト挿入部への挿入時の座屈や変形を防止することができて、ハーネス作業性を向上させることができる。
【００２５】
また、一方及び他方の相手接触端子の一方及び他方の相手端子装着部への装着時に、ガイド溝部にガイド部を挿入してガイドすることで、コンタクト部のコンタクト挿入部への挿入を容易に行うことができる。
【００２６】
また、突起部を突起挿入孔部に挿入するようにしたことにより、相手側コネクタがコネクタに結合した際に、内倒れからくる座屈や変形を防止することができる。
【００２７】
また、本発明に係る多極コネクタは、上記した本発明に係る多極コネクタにおいて、取付部及びコンタクト部とは、金属板材を折曲げ加工して形成されていて、取付部は四角枠形状の閉鎖断面を有することを特徴とする。
【００２８】
かかる構成により、一方及び他方の相手接触端子の強度の向上が図れ、コンタクト部のコンタクト挿入部への挿入時の座屈や変形を防止することができて、ハーネス作業性を向上させることができる。
【００２９】
また、本発明に係る多極コネクタは、上記した本発明に係る多極コネクタにおいて、コネクタは、コネクタ嵌合部にシールドプレートを装着しており、相手側コネクタは、相手コネクタ嵌合部がシールドシェルに覆われていて、このシールドシェルにグランド端子接触部を形成して、このグランド端子接触部を一方及び他方の相手端子装着部内に挿入して、相手グランド端子に接触させるようにした特徴とする。
【００３０】
かかる構成により、相手グランド端子を一方及び他方の相手端子装着部内に挿入するだけで、相手グランド端子をシールドシェルに容易に接触させることができる。
【００３１】
また、上記の目的を達成するために、本発明に係る多極コネクタは、コネクタとこのコネクタに結合する相手側コネクタとを備え、コネクタは、その絶縁ケースに設けたコネクタ嵌合部に複数の接触端子を有しており、相手側コネクタは、その相手絶縁ケースに設けた相手コネクタ嵌合部に複数の相手接触端子を有しており、コネクタ嵌合部に相手コネクタ嵌合部を嵌合してコネクタに相手コネクタが結合した際に、接触端子と相手接触端子のそれぞれを互いに接触導通させるようにした多極コネクタであって、コネクタ嵌合部は、絶縁ケースの表側に、嵌合凸部を挟んだ二列の嵌合用空間部をコネクタ長手方向に形成して構成してあり、嵌合凸部に、一方の接触端子をインサート成形により嵌合用空間部の一方に露出させると共に、一方の接触端子の伝送路と等長の伝送路を有する他方の接触端子をインサート成形により嵌合用空間部の他方に露出させて、一方の接触端子と他方の接触端子をコネクタ長手方向に沿って交互に所定のピッチ間隔で配置し、且つ一方及び他方の接触端子のそれぞれのリード部をコネクタ短手方向で且つ同方向に延出させてコネクタ長手方向に所定のピッチで並べてあることを特徴とする。
【００３２】
かかる構成により、信号端子とグランド端子の接触部のピッチは、そのままでも、リード部（実装部）のピッチを接触部のピッチの半分にできるために、コネクタが多芯になっても、コネクタがコネクタ長手方向（コンタクトのピッチ方向）に大きくならず、実装面積を狭くすることができる。また、信号端子とグランド端子の接触部のピッチが大きくとれるために、圧着タイプのケーブルコネクタを相手側コネクタに使用することができる。
【００３３】
また、コネクタが、幅方向（コネクタ短手方向）の厚みが増すことで（幅×ピッチ方向でトータル的に小型化）強度が上がり、相手側コネクタの挿抜時の作業性が良くなるし、更に、相手側コネクタに基板実装タイプが可能になる他、垂直実装可能なことから接続方法も多様化できる。
【発明の効果】
【００３４】
本発明に係る多極コネクタによれば、接触端子（例えば、信号端子とグランド端子）の接触部のピッチは、そのままでも、リード部（実装部）のピッチを接触部のピッチの半分にできるために、コネクタが多芯になっても、コネクタがコネクタ長手方向（コンタクトのピッチ方向）に大きくならず、実装面積を狭くすることができる。また、接触端子の接触部のピッチが大きくとれるために、圧着タイプのケーブルコネクタを相手側コネクタに使用することができる。
【００３５】
また、本発明に係る多極コネクタによれば、信号高速化による差動信号伝送は、二本の信号配線に互いに逆相の信号を送り、その差分を取ることによって、外来ノイズに対する耐性を強くするものであり、この差動信号伝送の欠点としては、コモン・モード成分が重畳したときに、電磁放射ノイズが増大することである。このコモン・モード成分の発生原因の一つとして、ペア線路の終端不整合、例えば、ペア線路長の不揃いがあるが、一方及び他方の接触端子において、一方の接触端子の伝送路と他方の接触端子の伝送路とを等長にしてペア線路長の不揃いを無くすことができる。
【００３６】
本発明に係る多極コネクタによれば、接触端子（信号端子とグランド端子）のコネクタ嵌合部に位置する接触部のピッチが大きく取れるコネクタに対する相手側コネクタとして、圧着タイプのケーブルコネクタを構成することができる。
【００３７】
また、本発明に係る多極コネクタによれば、一方及び他方の相手接触端子はケーブルの端末部を圧着接続する圧着端子であって、これらの圧着端子の一方及び他方の相手端子装着部への装着を容易に行うことができる。
【００３８】
また、本発明に係る多極コネクタによれば、コンタクト部は、その断面がコ字形状にしてあるために、強度の向上が図れ、コンタクト部のコンタクト挿入部への挿入時の座屈や変形を防止することができて、ハーネス作業性を向上させることができる。また、一方及び他方の相手接触端子の一方及び他方の相手端子装着部への装着時に、ガイド溝部にガイド部を挿入してガイドすることで、コンタクト部のコンタクト挿入部への挿入を容易に行うことができる。また、突起部を突起挿入孔部に挿入するようにしたことにより、相手側コネクタがコネクタに結合した際に、内倒れからくる座屈や変形を防止することができる。
【００３９】
また、本発明に係る多極コネクタによれば、相手グランド端子を一方及び他方の相手端子装着部内に挿入するだけで、相手グランド端子をシールドシェルに容易に接触させることができる。
【発明を実施するための最良の形態】
【００４０】
本発明の実施の形態を、図面を参照して詳述する。
【００４１】
本発明に係る多極コネクタは、コネクタであるレセプタクルコネクタＡと相手側コネクタであるケーブルコネクタＢとで構成してある。レセプタクルコネクタＡは、ＬＣＤパネル等の背面に実装され、機器本体からの配線に接続されたケーブルコネクタＢと結合し、機器本体からの電気信号をＬＣＤパネルへ伝達するために使用されるものである。
【実施例】
【００４２】
レセプタクルコネクタＡは、図４及び図５に示すように、絶縁ケース１と、この絶縁ケース１のコネクタ嵌合部Ｆに設けられた多数の接触端子１９、１９−１と、シールドプレート３０とから構成してある。
【００４３】
絶縁ケース１の表側には、図４及び図５に示すように、嵌合凸部３を挟んだ二列の嵌合用空間部Ｋをコネクタ長手方向に形成し、嵌合用空間部Ｋにシールドプレート３０を収容して構成されるコネクタ嵌合部Ｆが設けてある。そして、図１０に示すように、嵌合凸部３の一方の側面部３ａにはコネクタ長手方向に沿って所定のピッチ間隔で多数の端子装着溝部５が形成してあり、図１１に示すように、嵌合凸部３の他方の側面部３ｂにはコネクタ長手方向に沿って所定のピッチ間隔で多数の端子装着溝部５−１が形成してある。端子装着溝部５と端子装着溝部５−１とはコネクタ長手方向に沿って交互に所定のピッチ間隔で配置してある。
【００４４】
図１０及び図１１に示すように、端子装着溝部５の先部は端子挿入孔部７にしてあって、これらの端子挿入孔部７は嵌合凸部３の先端面部に開口している。また、同様に端子装着溝部５−１の先部は端子挿入孔部７−１にしてあって、これらの端子挿入孔部７−１は嵌合凸部３の先端面部に開口していて、端子挿入孔部７と端子挿入孔部７−１とはコネクタ長手方向に交互に配置してある。
【００４５】
そして、図１０及び図１１に示すように、絶縁ケース１の裏面部には、端子装着溝部５に連なる端子圧入孔部９と、この端子圧入孔部９に連なる端子リード挿入溝部１０とが形成してあるし、また、絶縁ケース１の裏面部には、端子装着溝部５−１に連なる端子圧入孔部９−１と、この端子圧入孔部９−１に連なる端子リード挿入溝部１０−１とが形成してあって、端子リード挿入溝部１０と端子リード挿入溝部１０−１とは、コネクタ長手方向に交互に所定のピッチで多数形成してある。
【００４６】
そして、端子リード挿入溝部１０と、端子圧入孔部９と、端子装着溝部５と、端子挿入孔部７とで一方の端子装着部１１が構成してあり、端子リード挿入溝部１０−１と、端子圧入孔部９−１と、端子装着溝部５−１と、端子挿入孔部７−１とで他方の端子装着部１１−１が構成してある。
【００４７】
そして、多数の信号端子装着部１１Ａ とグランド端子装着部１１Ｂとは一方の端子装着部１１で構成してあって、信号端子装着部１１Ａ とグランド端子装着部１１Ｂとは交互に配置してある。また、多数の信号端子装着部１１Ａ−１とグランド端子装着部１１Ｂ−１とは他方の端子装着部１１−１で構成してあって、信号端子装着部１１Ａ−１とグランド端子装着部１１Ｂ−１とは交互に配置してある。
【００４８】
図１０に示すように、嵌合用空間部Ｋの底面部にはコネクタ長手方向に沿うシールド挿入溝部１３が形成してあり、また、図９に示すように、コネクタ嵌合部Ｆのコネクタ長手方向の両端側にはシールド係止部１４が形成してある。また、図４及び図５に示すように、絶縁ケース１の一方の側壁部１ａにはそれぞれ一対の係止用切欠き部１５が形成してあり、他方の側壁部１ｂにはそれぞれ一対の係止用切欠き部１６が形成してある。また、コネクタ嵌合部Ｆのコネクタ長手方向の両側にはガイド孔３９が設けてある。
【００４９】
一方の接触端子１９は、図１２及び図１３に示すように、圧入取付部２１と、この圧入取付部２１の端側のリード部２２と、圧入取付部２１のリード部２２側に屈曲形成された接触部２５とを有していて、この接触部２５の屈曲点が接点２６にしてあり、この接触部２５の先端部には圧入取付部２１に略平行する挿入部２７が形成してある。リード部２２は圧入取付部２１に対して略直角に接点２６側に屈曲してある。
【００５０】
また、他方の接触端子１９−１は、図１２及び図１３に示すように、圧入取付部２１−１と、この圧入取付部２１−１の端側のリード部２２−１と、圧入取付部２１−１のリード部２２−１とは反対側に屈曲形成された接触部２５−１とを有している。この場合、接触部２５−１は、一方の接触端子１９の接触部２５とは反対側に屈曲形成してあり、この接触部２５−１の屈曲点が接点２６−１にしてあり、この接触部２５−１の先端部には圧入取付部２１−１に略平行する挿入部２７−１が形成してある。また、リード部２２−１は圧入取付部２１−１に対して略直角に接点２６−１とは反対側に屈曲させてある。
【００５１】
そして、一方の接触端子１９と他方の接触端子１９−１とは、それぞれの部位の寸法が同じにしてある。すなわち、圧入取付部２１と圧入取付部２１−１、リード部２２とリード部２２−１、接触部２５と接触部２５−１、挿入部２７と挿入部２７−１とは、それぞれに同じ寸法にしてあり、接触部２５と接触部２５−１とは逆方向に屈曲している。
【００５２】
そして、図７に示すように、一方の接触端子１９は信号端子装着部１１Ａ とグランド端子装着部１１Ｂとに装着してある。すなわち、一方の接触端子１９の圧入取付部２１が端子圧入孔部９に圧入してあって、リード部２２が端子リード挿入溝部１０に挿入してあり、接触部２５が端子装着溝部５に挿入してあり、挿入部２７が端子挿入孔部７に挿入してあり、接触部２５の接点部２６がコネクタ嵌合部Ｆの一方の嵌合用空間部Ｋ内に突出している。この場合、挿入部２７が端子挿入孔部７の外側面部７ａに衝接している。
【００５３】
また、図８に示すように、他方の接触端子１９−１は信号端子装着部１１Ａ−１とグランド端子装着部１１Ｂ−１に装着してある。すなわち、他方の接触端子１９−１の圧入取付部２１−１が端子圧入孔部９−１に圧入してあって、リード部２２−１が端子リード挿入溝部１０−１に挿入してあり、接触部２５−１が端子装着溝部５−１に挿入してあり、挿入部２７−１が端子挿入孔部７−１に挿入してあり、接触部２５−１の接点部２６−１がコネクタ嵌合部Ｆの他方の嵌合用空間部Ｋ内に突出している。この場合、挿入部２７−１が端子挿入孔部７−１の外側面部７ａ−１に衝接している。
【００５４】
そして、信号端子装着部１１Ａ、１１Ａ−１に装着された一方及び他方の接触端子１９、１９−１が信号端子にしてあり、一方及び他方の接触端子１９、１９−１の一組が対（ペア）で差動電送用の信号端子を構成している。また、グランド端子装着部１１Ｂ、１１Ｂ−１に装着された一方及び他方の接触端子１９、１９−１がグランド端子にしてあり、一方及び他方の接触端子１９、１９−１の一組が対（ペア）で差動電送用のグランド端子を構成している。
【００５５】
図１４乃至図１６に示すように、シールドプレート３０は、金属板を長方形の枠状に屈曲成形して構成してあり、互いに対向する端側シールド部３１と互いに対向する側面側シールド部３２とを有している。そして、図４及び図５に示すように、端側シールド部３１にはロック用穴部３１Ａが設けてあるし、端側シールド部３１のコネクタ高さ方向の一方の辺縁部３１ａには係止部３３が屈曲形成してあり、また、他方の辺縁部３１ｂには係止部３４が形成してある。
【００５６】
また、側面側シールド部３２のコネクタ高さ方向の一方の辺縁部３２ａは湾曲してあり、また、他方の辺縁部３２ｂにはシールドリード部３７が形成してある。更に、側面側シールド部３２の一方には一対の係止片３５が形成してあり、側面側シールド部３２の他方には一対の係止片３６が形成してある。
【００５７】
そして、図４及び図５に示すように、シールドプレート３０は、絶縁ケース１の嵌合用空間部Ｋに挿入してあって、側面側シールド部３２の一方の辺縁部３２ａは両側壁部１ａ、１ｂに沿わせてあり、図４に示すように、係止部３３がシールド係止部１４に係止してあり、また、図７及び図８に示すように、他方の辺縁部３２ｂがシールド挿入溝部１３に挿入してあり、さらには、図４及び図５に示すように、係止片３５が係止用切欠き部１５に、係止片３６が係止用切欠き部１６にそれぞれ係止してある。この場合、図６に示すように、係止部３４及びシールドリード部３７は絶縁ケース１に設けた孔部１ｅから嵌合用空間部Ｋ外に突出している。
【００５８】
上記のように構成されたレセプタクルコネクタＡは、その絶縁ケース１の底部に突出した係止部３４を、プリント配線基板の係止用孔（いずれも図示せず）に挿入し、各接触端子１９、１９−１で構成された信号端子のリード部２２、２２−１及び各接触端子１９、１９−１で構成されたグランド端子のリード部２２、２２−１を、プリント配線基板のグランドパターン部（図示せず）に載せたクリーム半田に接触させて、リフローによりそれぞれのリード部２２、２２−１が接点パターン部に半田付けされる。また、シールドプレート３０のそれぞれのシールドリード部３７も同様に半田付けされる。
【００５９】
相手側コネクタであるケーブルコネクタＢを図１７乃至図２５に示す。ケーブルコネクタＢは、絶縁ケースである圧着ケース５１と、この圧着ケース５１のコネクタ嵌合部（相手コネクタ嵌合部）Ｆ−１に設けた多数の接触端子（相手接触端子）７０と、シールドシェル（シールド部材８１及びシールド部材８２）とから構成してある。
【００６０】
すなわち、圧着ケース５１には、図２０乃至図２２に示すように、そのコネクタ長手方向の両端部には把持部５２が突設してあり、これら把持部５２とは反対側にはガイドポスト５３が設けてある。
【００６１】
圧着ケース５１の先側は、図１９に示すように、嵌合凹部Ｋ−１と、この嵌合凹部Ｋ−１を挟むコネクタ短手方向の一方及び他方の立壁部５１ａ、５１ｂを有するコネクタ嵌合部Ｆ−１にしてあり、一方の立壁部５１ａには端子装着部５４がコネクタ長手方向に所定のピッチ間隔で多数形成してあり、また、他方の立壁部５１ｂには端子装着部５４−１が端子装着部５４とは半ピッチずれた位置に多数形成してある。
【００６２】
これらの端子装着部５４、５４−１の先端側は、圧着ケース５１の先端面部５１ｃで閉塞されていて、圧着ケース５１の先端面部５１ｃには、それぞれの端子装着部５４、５４−１に対応して一対の突起挿入孔部５６が形成してある。また、図１９に示すように、端子装着孔部５４、５４−１は、端子挿入部５７とコンタクト挿入部５８で構成してあって、図２２に示すように、コンタクト挿入部５８の側面５８ａにはガイド部５９が突設してある。
【００６３】
図２１に示すように、多数の信号端子装着部５４Ａ とグランド端子装着部５４Ｂとは端子装着部５４で構成してあり、信号端子装着部５４Ａ とグランド端子装着部５４とは交互に配置してある。また、多数の信号端子装着部５４Ａ−１とグランド端子装着部５４Ｂ−１とは端子装着部５４−１で構成してあり、信号端子装着部５４Ａ−１とグランド端子装着部５４Ｂ−１とは交互に配置してある。
【００６４】
また、図１９及び図２０に示すように、圧着ケース５１の一方の側面には、グランド端子装着部５４Ｂの端子挿入部５７に開口する開口部６０がコネクタ長手方向に多数形成してあり、また、圧着ケース５１の他方の側面には、グランド端子装着部５４Ｂ−１の端子挿入部５７に開口する開口部６０−１がコネクタ長手方向に多数形成してある。
【００６５】
図２３乃至図２５に示すように、接触端子７０は圧着端子であって、圧着部７１と取付部７２とコンタクト部７４とを備えている。取付部７２は四角枠形状の閉鎖断面であり、その面部７２ａには係止突起部７３が設けてある。
【００６６】
コンタクト部７４は、その断面がコ字形状にしてあって、コンタクト部７４の面部が接触部７５にしてあり、コンタクト部７４の内部がガイド溝部７６にしてあり、また、コンタクト部７４の先端部には一対の突起部７７が形成してある。
【００６７】
取付部７２及びコンタクト部７４は、金属板材の折曲げ加工により形成されている。すなわち、取付部７２にあっては、図２５に示すように、金属板材７２Ｆを面部７２ａに対して直角に屈曲して一方の側面部７２ｂを形成し、また、図２３に示すように、金属板材７２Ｆを面部７２ａに対して直角に屈曲して他方の側面部７２ｃを形成し、更に、図２４に示すように、金属板材７２Ｆを、他方の側面部７２ｃに対して直角に屈曲して、面部７２ａに対向する対向面部７２ｄを形成して、この対向面部７２ｄの辺縁部７２ｅを一方の側面部７２ｂに当接させてある。
【００６８】
また、コンタクト部７４にあっては、接触部７５は取付部７２の面部７２ｄに連なり、一方の側面部７４ａは取付部７２の他方の側面部７２ｃに連なっており、金属板材７２Ｆを接触部７５に対して直角に屈曲して他方の側面部７４ｃが形成してあって、この他方の側面部７４ｃの端縁部７４ｅが取付部７２が一方の側面部７２ｂに当接させてある。
【００６９】
そして、接触端子７０は信号端子とグランド端子とのそれぞれを構成しており、図３及び図１９に示すように、信号端子７０Ａは、その圧着部７１で信号用ケーブル８０Ａの端末部に接続してあり、また、図２に示すように、グランド端子７０Ｂは、その圧着部７１でグランド用ケーブル８０Ｂの端末部に接続してある。
【００７０】
そして、図３及び図１９に示すように、信号端子７０Ａは信号端子装着部５４−１に装着してある。すなわち、コンタクト部７４がコンタクト挿入部５８に挿入してあり、取付部７２が端子挿入部５７に圧入してあって、係止突起部７３が開口部６０の縁部に係止されている。この場合、コンタクト部７４のガイド溝部７６にガイド部５９が挿入されるし、コンタクト部７２の先端部の一対の突起部７７が一対の突起挿入孔部５６に挿入される（図２２及び図２５参照）。
【００７１】
図２に示すように、グランド端子７０Ｂはグランド端子装着部５４Ｂ−１に装着してある。すなわち、コンタクト部７４がコンタクト挿入部５８に挿入してあり、取付部７２が端子挿入部５７に挿入してあって、係止突起部７３が開口部６０−１の縁部に係止されている。この場合、コンタクト部７４のガイド溝部７６にガイド５９が挿入されるし、コンタクト部７２の先端部の一対の突起部７７が一対の突起挿入孔部５６に挿入される（図２２及び図２５参照）。
【００７２】
なお、図２７に従来の圧着端子１００を示す。この圧着端子１００は、圧着部１０１と取付部１０２とコンタクト部１０３とを備えており、取付部１０２は、その断面がコ字形状にしてあり、コンタクト部１０３は平板形状である。
【００７３】
シールドシェルは、圧着ケース５１表面の略半分を覆う一方のシールド部材８１と、他方の略半分を覆う他方のシールド部材８２とで構成してある。一方のシールド部材８１は、図１７に示すように、圧着ケース５１の一方の側面を覆う主シールド部８３を有しており、この主シールド部８３の両側には圧着ケース５１の把持部５２を覆う端側シールド部８４が形成してある。
【００７４】
そして、主シールド部８３には、舌片形状のグランド端子接触部８５がコネクタ長手方向に多数形成してあり（図２参照）、これらのグランド端子接触部８５の先部は屈曲してあって、この屈曲が接触点８６にしてある。また、主シールド部８３の両側縁部には係止片部８７が設けてあり、端側シールド部８４の両側縁部には係止片部８８が設けてあり、端側シールド部８４の端縁部には接触片部８９が設けてある（図２及び図１８参照）。
【００７５】
他方のシールド部材８２は、図１に示すように、圧着ケース５１の他方の側面を覆う主シールド部９０を有しており、この主シールド部９０の両側には圧着ケース５１の把持部５２を覆う端側シールド部９１が形成してある。
【００７６】
そして、主シールド部９０には、上記したグランド端子接触部８５と同構成のグランド端子接触部９２がコネクタ長手方向に多数形成してあり、これらのグランド端子接触部９２の先部は屈曲してあって、この屈曲が接触点９３にしてある。また、主シールド部９０の両側縁部には係止片部９４が設けてあり、端側シールド部９１の両側縁部には係止片部９５が設けてあり、端側シールド部９１の端縁部には接触片部９６が設けてある。
【００７７】
そして、一方及び他方のシールド部材８１、８２は、コネクタ短手方向の両方から圧着ケース５１を挟むようにして、この圧着ケース５１を覆っていて、一方のシールド部材８１は、その係止片部８７が圧着ケース５１の両端部に係止してあり、また、端側シールド部８４の係止片部８８が把持部５２の両端部に係止してあることで圧着ケース５１に装着してある（図１７参照）。
【００７８】
また、他方のシールド部材８２は、その係止片部９４が圧着ケース５１の両端部に係止してあり、また、端側シールド部９１の係止片部９５が把持部５２の両端部に係止してあることで圧着ケース５１に装着してある。そして、一方及び他方のシールド部材８１、８２は、把持部５２の端部において、互いの接触片部８９、９６を接触させることで、互いに導通している（図１参照）。
【００７９】
そして、図２に示すように、一方のシールド部材８１に設けた多数のグランド端子接触部８５は圧着ケース５１の開口部６０に挿入してあって、グランド端子接触部８５の先部の接触点８６がグランド端子７０Ｂの取付部７２の背面側に接触している。また、他方のシールド部材８２に設けた多数のグランド端子接触部９２は、図示しないが、圧着ケース５１の開口部６０−１に挿入してあって、グランド端子接触部９２の先部の接触点９３がグランド端子７０Ｂの圧着部７２の背面側に接触している。
【００８０】
なお、グランド端子接触部８５、９２は、図２６に示すように、ばね性に富むように屈曲した舌片形状にして、接触点８６を面形状にして、グランド端子７０Ｂの取付部７２の背面側に接触させるようにしてもよい。
【００８１】
また、図１７に示すように、ケーブルコネクタＢには、把持部５２の外側に位置させてロック操作用レバー９７が設けてあり、これらのロック操作用レバー９７の先側にはロック用突起部９８が設けてあって、これらのロック用突起部９８が、ロック操作用レバー９７のばね力で押されて絶縁ケース５１の側面から外方に突出している。
【００８２】
次に、上記のように構成されたレセプタクルコネクタＡとケーブルコネクタＢとの結合及びこの結合の解除を説明する。
【００８３】
図４及び図５、図１７及び図１８に示すように、ケーブルコネクタＢのコネクタ嵌合部Ｆ−１をレセプタクルコネクタＡのコネクタ嵌合部Ｆに嵌合することで、ガイドポスト５３がガイド孔３９に挿入され、ケーブルコネクタＢの多数の信号端子のコンタクト部７４が、レセプタクルコネクタＡの多数の信号端子の接触部２５、２５−１の接点部２６、２６−１に接触し、また、ケーブルコネクタＢの多数のグランド端子のコンタクト部７４が、レセプタクルコネクタＡの多数のグランド端子の接触部２５、２５−１の接点部２６、２６−１に接触する。また、ケーブルコネクタＢのシールドシェル（シールド部材８１、８２）がレセプタクルコネクタＡのシールドプレート３０に接触する。この状態で、ロック用突起部９８がロック用孔部３１Ａに挿入されて、ケーブルコネクタＢがレセプタクルコネクタＡにロックされる。
【００８４】
また、レセプタクルコネクタＡとケーブルコネクタＢとの結合の解除は、ロック操作用レバー９７を指で押すことで、ロック用突起部９８をロック用孔部３１Ａから外してロックを解除して、ケーブルコネクタＢを引き抜くことで行われる。
【００８５】
上記した本発明の実施例によれば、コネクタ嵌合部Ｆは、絶縁ケース１の表側に、嵌合凸部３を挟んだ二列の嵌合用空間部Ｋをコネクタ長手方向に形成して構成してあり、嵌合凸部３には、嵌合用空間部Ｋの一方に開口する多数の一方の端子装着部１１と、嵌合用空間部Ｋの他方に開口する多数の他方の端子装着部１１−１とがコネクタ長手方向に沿って交互に所定のピッチ間隔で形成してあり、一方の端子装着部１１に一方の接触端子１９を装着して、当該接触端子１９の接触部２５を嵌合用空間部Ｋの一方に露出させると共に、他方の端子装着部１１−１に、一方の接触端子１９の伝送路と等長の伝送路を有する他方の接触端子１９−１を装着して、当該接触端子１９−１の接触部２５−１を嵌合用空間部Ｋの他方に露出させ、且つ一方及び他方の接触端子１９、１９−１のそれぞれのリード部２２、２２−１をコネクタ短手方向で且つ同方向に突出させてコネクタ長手方向に所定のピッチで並べ、一方及び他方の接触端子１９、１９−１の一組が対で信号端子を構成し、一方及び他方の接触端子１９、１９−１の他の一組が対でグランド端子を構成していて、信号端子とグランド端子とがコネクタ長手方向に交互に配置してあることにより、信号端子とグランド端子の接触部２５、２５−１のピッチは、そのままでも、リード部（実装部）２２、２２−１のピッチを接触部２５、２５−１のピッチの半分にできるために、レセプタクルコネクタＡが多芯になっても、レセプタクルコネクタＡがコネクタ長手方向（コンタクトのピッチ方向）に大きくならず、実装面積を狭くすることができる。また、信号端子とグランド端子の接触部２５、２５−１のピッチが大きくとれるために、圧着タイプのケーブルコネクタＢを相手側コネクタに使用することができる。
【００８６】
また、レセプタクルコネクタＡが、幅方向（コネクタ短手方向）の厚みが増すことで（幅×ピッチ方向でトータル的に小型化）強度が上がり、ケーブルコネクタＢの挿抜時の作業性が良くなるし、更に、相手側コネクタに基板実装タイプが可能になる他、垂直実装可能なことから接続方法も多様化できる。
【００８７】
また、本発明の実施例によれば、一方及び他方の接触端子１９、１９−１は、圧入取付部２１と、この圧入取付部２１の端側のリード部２２と、圧入取付部２１のリード部２２とは反対側に屈曲形成された接触部２５とを有していて、この接触部２５の屈曲点が接点２６にしてあり、一方の接触端子１９では、リード部２２は圧入取付部２１に対して略直角に接点２６側に屈曲してあり、他方の接触端子１９−１では、リード部２２−１は圧入取付部２１−１に対して略直角に接点２６−１とは反対側に屈曲してあって、一方の接触端子１９の伝送路と他方の接触端子１９−１の伝送路とが等長である。
【００８８】
信号高速化による差動信号伝送は、二本の信号配線に互いに逆相の信号を送り、その差分を取ることによって、外来ノイズに対する耐性を強くするものであり、この差動信号伝送の欠点としては、コモン・モード成分が重畳したときに、電磁放射ノイズが増大することである。このコモン・モード成分の発生原因の一つとして、ペア線路の終端不整合、例えば、ペア線路長の不揃いがあるが、一方及び他方の接触端子１９、１９−１を上記した構成にすることで、一方の接触端子１９の伝送路と他方の接触端子１９−１の伝送路とを等長にしてペア線路長の不揃いを無くすことができる。
【００８９】
また、本発明の実施例によれば、コネクタ嵌合部（相手コネクタ嵌合部）Ｆ−１は、絶縁ケース５１の表側に嵌合凹部Ｋ−１と、この嵌合凹部Ｋ−１を挟むコネクタ短手方向の一方及び他方の立壁部５１ａ、５１ｂを有しており、一方の立壁部５１ａには、嵌合凹部Ｋ−１に開口する多数の一方の端子装着部（相手端子装着部）５４がコネクタ長手方向に沿って交互に所定のピッチ間隔で形成してあり、他方の立壁部５１ｂには、嵌合凹部Ｋ−１に開口する多数の他方の端子装着部（相手端子装着部）５４−１がコネクタ長手方向に沿って交互に所定のピッチ間隔で形成してあり、一方の端子装着部５４に一方の接触端子（相手接触端子）７０を装着して、当該接触端子７０の接触部７５を嵌合凹部Ｋ−１に臨ませると共に、他方の端子装着部５４−１に、一方の接触端子７０の伝送路と等長の伝送路を有する他方の接触端子（相手接触端子）７０を装着して、当該接触端子７０の接触部７５を嵌合凹部Ｋ−１に臨ませ、一方及び他方の接触端子７０の一組が対で信号端子（相手信号端子）７０Ａを構成し、一方及び他方の接触端子７０の他の一組が対でグランド端子（相手グランド端子）７０Ｂを構成していて、信号端子７０Ａとグランド端子７０Ｂとがコネクタ長手方向に交互に配置してあることにより、信号端子７０Ａとグランド端子７０Ｂの接触部７５のピッチが大きく取れるレセプタクルコネクタＡに対する相手側コネクタとして、圧着タイプのケーブルコネクタＢを構成することができる。
【００９０】
また、本発明の実施例によれば、コンタクト挿入部５８の先端側は閉塞されていて、当該閉塞部に一対の突起挿入孔部５６が形成してあると共に、コンタクト挿入部５８にガイド部５９が突設してあり、コンタクト部７４は、その断面がコ字形状にしてあって、その内部がガイド溝部７６にしてあると共に、コンタクト部７４の先端部に一対の突起部７７が設けてあり、一方及び他方の接触端子７０の一方及び他方の相手端子装着部５４、５４−１への装着時に、ガイド溝部７６にガイド部５９を挿入し、突起部７７を突起挿入孔部５６に挿入するようにしてある。
【００９１】
上記のように、コンタクト部７４は、その断面がコ字形状にしてあるために、強度の向上が図れ、コンタクト部７４のコンタクト挿入部５８への挿入時の座屈や変形を防止することができて、ハーネス作業性を向上させることができる。
【００９２】
また、一方及び他方の接触端子７０の一方及び他方の相手端子装着部５４、５４−１への装着時に、ガイド溝部７６にガイド部５９を挿入してガイドすることで、コンタクト部７４のコンタクト挿入部５８への挿入を容易に行うことができる。
【００９３】
また、突起部７７を突起挿入孔部５６に挿入するようにしたことにより、ケーブルコネクタＢがレセプタクルコネクタＡに結合した際に、内倒れからくる座屈や変形を防止することができる。
【００９４】
また、本発明の実施例によれば、取付部７２及びコンタクト部７４とは、金属板材を折曲げ加工して形成されていて、取付部７２は四角枠形状の閉鎖断面を有することにより、強度の向上が図れ、コンタクト部７４のコンタクト挿入部５８への挿入時の座屈や変形を防止することができて、ハーネス作業性を向上させることができる。
【００９５】
また、本発明の実施例によれば、レセプタクルコネクタＡは、コネクタ嵌合部Ｋにシールドプレート３０を装着しており、ケーブルコネクタＢは、コネクタ嵌合部Ｋ−１がシールドシェルに覆われていて、このシールドシェルにグランド端子接触部８５、９２を形成して、このグランド端子接触部８５、９２を一方及び他方の端子装着部５４、５４−１内に挿入して、グランド端子７０Ｂに接触させるようにしたことにより、グランド端子７０Ｂを一方及び他方の端子装着部５４、５４−１内に挿入するだけで、グランド端子７０Ｂをシールドシェルに容易に接触させることができる。
【００９６】
なお、上記した本発明の実施例では、嵌合凸部３に、嵌合用空間部Ｋの一方に開口する多数の一方の端子装着部１１と、嵌合用空間部Ｋの他方に開口する多数の他方の端子装着部１１−１とをコネクタ長手方向に沿って交互に所定のピッチ間隔で形成し、一方の端子装着部１１に一方の接触端子１９を装着し、他方の端子装着部１１−１に、一方の接触端子１９の伝送路と等長の伝送路を有する他方の接触端子１９−１を装着するようにしたが、本発明に係る多極コネクタでは、嵌合凸部３に、一方の接触端子１９及び他方の接触端子１９−１をインサート成形により取付けて一体化するようにしてもよい。
【産業上の利用可能性】
【００９７】
本発明は、接触端子（例えば、信号端子とグランド端子）の接触部のピッチは、そのままでも、リード部（実装部）のピッチを接触部のピッチの半分にできるために、コネクタが多芯になっても、コネクタがコネクタ長手方向（コンタクトのピッチ方向）に大きくならず、実装面積を狭くすることができる。また、接触端子の接触部のピッチが大きくとれるために、圧着タイプのケーブルコネクタを相手側コネクタに使用することができるし、また、コネクタが、幅方向（コネクタ短手方向）の厚みが増すことで（幅×ピッチ方向でトータル的に小型化）強度が上がり、相手側コネクタの挿抜時の作業性が良くなるし、更に、相手側コネクタに基板実装タイプが可能になる他、垂直実装可能なことから接続方法も多様化できるという効果を有し、機器本体からの電気信号をＬＣＤパネル等の電子機器へ伝達するために使用する多極コネクタに属し、レセプタクルコネクタと相手側コネクタを構成するケーブルコネクタを有する多極コネクタ等に有用である。
【図面の簡単な説明】
【００９８】
【図１】本発明に係る多極コネクタにおけるレセプタクルコネクタとケーブルコネクタとの結合状態の斜視図である。
【図２】同レセプタクルコネクタとケーブルコネクタとの結合状態であって、グランド端子の部分で断面した斜視図である。
【図３】同レセプタクルコネクタとケーブルコネクタとの結合状態であって、信号端子の部分で断面した断面図である。
【図４】同レセプタクルコネクタの斜視図である。
【図５】同レセプタクルコネクタの反対側から見た斜視図である。
【図６】同レセプタクルコネクタを裏側から見た斜視図である。
【図７】同レセプタクルコネクタの断面図である。
【図８】同レセプタクルコネクタの他の部分の断面図である。
【図９】同レセプタクルコネクタにおける絶縁ケースの平面図である。
【図１０】図９のＣ−Ｃ線に沿う断面図である。
【図１１】図９のＤ−Ｄ線に沿う断面図である。
【図１２】接触端子の側面図である。
【図１３】一方及び他方の接触端子の一組が対で差動電送信号用の信号端子を構成した場合の斜視図である。
【図１４】グランドプレートの平面図である。
【図１５】図１４のＥ方向からの矢視図である。
【図１６】図１４のＥ―１方向からの矢視図である。
【図１７】ケーブルコネクタの相手コネクタ嵌合部側から見た斜視図である。
【図１８】同ケーブルコネクタのケーブル側から見た斜視図である。
【図１９】同ケーブルコネクタの断面図である。
【図２０】同ケーブルコネクタにおける絶縁ケースの側面図である。
【図２１】同絶縁ケースの平面図である。
【図２２】図２０のＧ−Ｇ線に沿う一部省略した断面図である。
【図２３】圧着端子の正面側から見た斜視図である。
【図２４】圧着端子の正面側であって反対側から見た斜視図である。
【図２５】圧着端子の裏側から見た斜視図である。
【図２６】本発明に係る多極コネクタにおいて、シールドシェルに接触片を形成して、この接触片を相手端子装着部内に挿入して、相手グランド端子に接触させた他の状態の断面図である。
【図２７】従来の圧着端子の斜視図である。
【符号の説明】
【００９９】
Ａ        レセプタクルコネクタ（コネクタ）
Ｂ        プラグコネクタ（相手側コネクタ）
Ｆ        コネクタ嵌合部
Ｆ−１    コネクタ嵌合部（相手コネクタ嵌合部）
Ｋ        嵌合用空間部
Ｋ−１    嵌合凹部
１        絶縁ケース
３        嵌合凸部
１１      一方の端子装着部
１１−１  他方の端子装着部
１９      一方の接触端子
１９−１  他方の接触端子
２１      圧入取付部
２１−１  圧入取付部
２２      リード部
２２−１  リード部
２５      接触部
２５−１  接触部
２６      接点
２６−１  接点
５１      絶縁ケース
５１ａ    一方の立壁部
５１ｂ    他方の立壁部
５４      一方の端子装着部（一方の相手端子装着部）
５４−１  他方の端子装着部（他方の相手端子装着部）
５６      突起挿入孔部
７０      接触端子（相手接触端子）
７０Ａ    信号端子（相手信号端子）
７０Ｂ    グランド端子（相手グランド端子）
５８      コンタクト挿入部
５９      ガイド部
７４      コンタクト部
７６      ガイド溝部
７７      突起部
８５      グランド端子接触部
９２      グランド端子接触部
【図１】
2006066291.tif 000003
【図２】
2006066291.tif 000004
【図３】
2006066291.tif 000005
【図４】
2006066291.tif 000006
【図５】
2006066291.tif 000007
【図６】
2006066291.tif 000008
【図７】
2006066291.tif 000009
【図８】
2006066291.tif 000010
【図９】
2006066291.tif 000011
【図１０】
2006066291.tif 000012
【図１１】
2006066291.tif 000013
【図１２】
2006066291.tif 000014
【図１３】
2006066291.tif 000015
【図１４】
2006066291.tif 000016
【図１５】
2006066291.tif 000017
【図１６】
2006066291.tif 000018
【図１７】
2006066291.tif 000019
【図１８】
2006066291.tif 000020
【図１９】
2006066291.tif 000021
【図２０】
2006066291.tif 000022
【図２１】
2006066291.tif 000023
【図２２】
2006066291.tif 000024
【図２３】
2006066291.tif 000025
【図２４】
2006066291.tif 000026
【図２５】
2006066291.tif 000027
【図２６】
2006066291.tif 000028
【図２７】
2006066291.tif 000029